(57)【要約】【課題】燃料を浄化するためのフィルタを配置するために必要な広さの空間を確保しつつ、燃料供給作業がしやすい建設機械を提供する。【解決手段】下部走行体２と、上部旋回体３と、上部旋回体３に配置された燃料タンクに供給する燃料を浄化するためのフィルタ７１を有する燃料供給装置と、を備えた油圧ショベル１において、下部走行体２の側方に取り付けられ、フィルタ７１を内部に収容する本体６１と、本体６１の上部に開閉自在に取り付けられた蓋６２と、を有するフィルタ収容ケース６と、フィルタ収容ケース６を、下部走行体２の側方であって車幅の範囲内に含まれる格納位置と、下部走行体２の車幅の範囲外となる作業位置との間で移動させるヒンジ８２と、を備える。【選択図】図６
2019203333.tif 000002
【特許請求の範囲】
【請求項１】
下部走行体と、前記下部走行体の上方に旋回可能に設けられた上部旋回体と、前記上部旋回体に配置された燃料タンクに供給する燃料を浄化するためのフィルタを有する燃料供給装置と、を備えた建設機械において、
前記下部走行体の側方に取り付けられ、前記フィルタを内部に収容する本体と、前記本体の上部に開閉自在に取り付けられた蓋と、を有するフィルタ収容ケースと、
前記フィルタ収容ケースを、前記下部走行体の前記側方であって車幅の範囲内に含まれる格納位置と、前記下部走行体の車幅の範囲外となる作業位置との間で移動させる移動機構と、を備えた
ことを特徴とする建設機械。
【請求項２】
請求項１に記載の建設機械において、
前記下部走行体の前記側方に配置された昇降ステップを備え、
前記フィルタ収容ケースは、前記下部走行体のシャーシフレームと前記昇降ステップとの間において前記昇降ステップに取り付けられており、
前記移動機構は、前記フィルタ収容ケースと共に前記昇降ステップを移動させる
ことを特徴とする建設機械。
【請求項３】
請求項１に記載の建設機械において、
前記フィルタ収容ケースは、前記下部走行体の上下方向に沿った軸部を有するヒンジを介して前記下部走行体のシャーシフレームに取り付けられており、
前記移動機構は、前記軸部を中心として前記フィルタ収容ケースを水平方向に回動させる前記ヒンジである
ことを特徴とする建設機械。
【請求項４】
請求項１に記載の建設機械において、
前記本体の内部には、前記燃料タンクに燃料を吐出する燃料ポンプと前記フィルタとを連結するための連結用ホースと、前記燃料タンクに供給する燃料が保存された外部タンクと前記フィルタとを接続するための接続用ホースと、がさらに収容されている
ことを特徴とする建設機械。
【請求項５】
請求項４に記載の建設機械において、
前記連結用ホース及び前記接続用ホースはそれぞれ、一端が前記フィルタに予め固定された状態で前記本体の内部に収容されている
ことを特徴とする建設機械。
【発明の詳細な説明】
【技術分野】
【０００１】
本発明は、燃料供給装置を備えた建設機械に関する。
【背景技術】
【０００２】
従来、油圧ショベル等の旋回式の建設機械において、燃料を貯蔵するための燃料タンク、及び当該燃料タンクに燃料を供給するための燃料供給装置が、いずれも上部旋回体上に搭載されたものが知られている。しかしながら、上部旋回体上には数多くの機器が配置されることから、燃料供給装置を配置するために十分な空間を上部旋回体上に確保することが難しい。そこで、例えば、特許文献１では、燃料補給ポンプと燃料供給用のホースとを格納ケースに収めてユニット構造にした燃料供給装置を、旋回フレーム上に設置された燃料タンクの前方に位置する狭い空間部に配置している。
【先行技術文献】
【特許文献】
【０００３】
【特許文献１】特開２００２−２６６３７７号公報
【発明の概要】
【発明が解決しようとする課題】
【０００４】
油圧ショベル等の建設機械が使用される現場によっては粗悪燃料が使用されてしまう虞があり、その対応のため、粗悪燃料を浄化するためのフィルタを燃料供給装置に搭載しておく必要がある。しかしながら、特許文献１に記載の燃料供給装置においては、粗悪燃料の浄化に必要な大きさのフィルタを配置するために十分な広さの空間を確保することが難しい。また、燃料供給装置を構成する全ての機器が上部旋回体上に配置されているため、高所での燃料供給作業となり作業がしづらい。
【０００５】
そこで、本発明の目的は、燃料を浄化するためのフィルタを配置するために必要な広さの空間を確保しつつ、燃料供給作業がしやすい建設機械を提供することにある。
【課題を解決するための手段】
【０００６】
上記の目的を達成するために、本発明は、下部走行体と、前記下部走行体の上方に旋回可能に設けられた上部旋回体と、前記上部旋回体に配置された燃料タンクに供給する燃料を浄化するためのフィルタを有する燃料供給装置と、を備えた建設機械において、前記下部走行体の側方に取り付けられ、前記フィルタを内部に収容する本体と、前記本体の上部に開閉自在に取り付けられた蓋と、を有するフィルタ収容ケースと、前記フィルタ収容ケースを、前記下部走行体の前記側方であって車幅の範囲内に含まれる格納位置と、前記下部走行体の車幅の範囲外となる作業位置との間で移動させる移動機構と、を備えたことを特徴とする。
【発明の効果】
【０００７】
本発明によれば、燃料を浄化するためのフィルタを配置するために必要な広さの空間を確保しつつ、燃料供給作業がしやすくなる。上記した以外の課題、構成及び効果は、以下の実施形態の説明により明らかにされる。
【図面の簡単な説明】
【０００８】
【図１】本発明の実施形態に係る油圧ショベルの外観を示す斜視図である。
【図２】下部走行体を示す斜視図である。
【図３】昇降装置に取り付けられるフィルタ収容ケース及びその内部を示す斜視図である。
【図４】フィルタ収容ケース及びその周辺を拡大して示す図である。
【図５】フィルタ収容ケースの取り付け構造を示しており、下部走行体の下方から見上げる方向で示す図である。
【図６】フィルタ収容ケースが作業位置に配置された状態を示す図である。
【発明を実施するための形態】
【０００９】
以下、本発明の実施形態に係る建設機械の一態様として、ホイール式の油圧ショベルについて、図１〜図６を参照して説明する。
【００１０】
図１は、本発明の実施形態に係る油圧ショベル１の外観を示す斜視図である。図２は、下部走行体２を示す斜視図である。図３は、昇降装置５Ｒに取り付けられるフィルタ収容ケース６及びその内部を示す斜視図である。図４は、フィルタ収容ケース６及びその周辺を拡大して示す図である。図５は、フィルタ収容ケース６の取り付け構造を示しており、下部走行体２の下方から見上げる方向で示す図である。図６は、フィルタ収容ケース６が作業位置に配置された状態を示す図である。
【００１１】
油圧ショベル１は、図１に示すように、路面を走行するための下部走行体２と、下部走行体２の上方に旋回装置を介して旋回可能に設けられた上部旋回体３と、を備えている。
【００１２】
図２に示すように、下部走行体２は、シャーシフレーム２０と、左右一対の前輪２１Ｌ，２１Ｒ及び後輪２２Ｌ，２２Ｒと、シャーシフレーム２０の後端部に取り付けられた排土作業用のブレード装置２３と、を有して構成されている。油圧ショベル１は、ホイール式の油圧ショベルであり、走行モータの駆動力がプロペラシャフト及びアクスルを介して左右一対の前輪２１Ｌ，２１Ｒ及び後輪２２Ｌ，２２Ｒに伝達されて回転することにより走行する。
【００１３】
図１に示すように、上部旋回体３は、旋回フレーム３０と、オペレータが搭乗する運転室３１と、車体が傾倒しないようにバランスを保つためのカウンタウェイト３２と、エンジンやコントローラ等の各種の機器が収容された機械室３３と、燃料を貯蔵する燃料タンク等のメンテナンス作業用の道具が収容されたユーティリティ室３４と、を有して構成されている。
【００１４】
運転室３１は旋回フレーム３０の前部左側に、ユーティリティ室３４は旋回フレーム３０の前部右側に、カウンタウェイト３２は旋回フレーム３０の後部に、それぞれ配置されている。機械室３３は、運転室３１及びユーティリティ室３４とカウンタウェイト３２との間に配置されている。なお、油圧ショベル１の車幅方向（左右方向）のうち、運転室３１に設けられた運転席（不図示）に着座したオペレータの左手側を「左方向」とし、右手側を「右方向」とする。
【００１５】
また、旋回フレーム３０の前方中央部、すなわち運転室３１とユーティリティ室３４との間には、土砂の掘削作業等を行うフロント作業機４が取り付けられている。フロント作業機４は、旋回フレーム３０に回動可能に取り付けられたブーム４１と、旋回フレーム３０とブーム４１とを連結するブームシリンダ４１０と、ブーム４１の先端部に回動可能に取り付けられたアーム４２と、ブーム４１とアーム４２とを連結するアームシリンダ４２０と、アーム４２の先端部に回動可能に取り付けられたバケット４３と、アーム４２とバケット４３とを連結するバケットシリンダ４３０と、これらの各シリンダ４１０，４２０，４３０へ作動油を導くための複数の配管４４と、を有している。
【００１６】
ブーム４１は、ブームシリンダ４１０がロッドを伸縮させることにより駆動し、上部旋回体３に対して上下方向に回動（俯仰）する。アーム４２は、アームシリンダ４２０がロッドを伸縮させることにより駆動し、ブーム４１に対して前後方向に回動する。バケット４３は、バケットシリンダ４３０がロッドを伸縮させることにより駆動し、アーム４２に対して前後方向に回動する。
【００１７】
バケット４３は、土砂等の荷を掬い上げて所定の位置に荷を下ろすものであるが、例えば、木材や岩石、廃棄物等を掴むグラップルや、岩盤を掘削するブレーカ等のアタッチメントに変更することも可能である。これにより、油圧ショベル１は、作業内容に適したアタッチメントを用いて、掘削や破砕等を含む様々な作業を行うことができる。
【００１８】
油圧ショベル１は、図２に示すように、下部走行体２の車幅方向の側方における前輪２１Ｌ，２１Ｒと後輪２２Ｌ，２２Ｒとの間に、一対の昇降装置５Ｌ，５Ｒを備えている。一対の昇降装置５Ｌ，５Ｒは、オペレータが運転室３１に搭乗する際や、作業員が車体のメンテナンス作業を行う際等に用いられる。
【００１９】
一対の昇降装置５Ｌ，５Ｒはそれぞれ、上下方向に間隔を空けて配置された第１〜第３昇降ステップ５１〜５３と、第１〜第３昇降ステップ５１〜５３を前側で連結する前側連結部５４Ａと、第１〜第３昇降ステップ５１〜５３を後側で連結する後側連結部５４Ｂと、を有している。本実施形態では、一対の昇降装置５Ｌ，５Ｒはそれぞれ、３つの昇降ステップ５１〜５３を有しているが、昇降ステップの段数については特に制限はない。
【００２０】
なお、以下の説明において、一対の昇降装置５Ｌ，５Ｒのうち、下部走行体２の右側に配置された昇降装置を「右側昇降装置５Ｒ」とし、下部走行体２の左側に配置された昇降装置を「左側昇降装置５Ｌ」とする。
【００２１】
図１、図２、及び図４に示すように、右側昇降装置５Ｒには、車体の前後方向に細長い直方体状に形成されたフィルタ収容ケース６が取り付けられている。具体的には、図５に示すように、フィルタ収容ケース６は、シャーシフレーム２０と第１〜第３昇降ステップ５１〜５３との間において、第１〜第３昇降ステップ５１〜５３にボルト（不図示）で締結されると共に、後端部６１Ｂから延在する接続部材６１０により後側連結部５４Ｂと接続されている。
【００２２】
さらに、フィルタ収容ケース６は、前側及び後側においてシャーシフレーム２０に取り付けられている。図５に示すように、シャーシフレーム２０は、右側縁面から外方（第１〜第３昇降ステップ５１〜５３の側）に向かって延出し、下部走行体２の前後方向に並ぶ一対の延出部２００Ａ，２００Ｂ（前側延出部２００Ａ及び後側延出部２００Ｂ）を有している。後側延出部２００Ｂには、前述した接続部材６１０に設けられたラッチ８１が係止される被係止部材８１０が固定されている。
【００２３】
フィルタ収容ケース６は、前端部６１Ａにおいてヒンジ８２を介して前側延出部２００Ａに取り付けられると共に、ラッチ８１を介して被係止部材８１０に着脱可能に取り付けられている。ヒンジ８２は、下部走行体２の上下方向に沿った軸部８２０と、フィルタ収容ケース６の前端部６１Ａに固定される第１固定部８２１と、前側延出部２００Ａに固定される第２固定部８２２と、を有している。
【００２４】
ロック状態のラッチ８１を解除すると、図６に示すように、右側昇降装置５Ｒに取り付けられたフィルタ収容ケース６は、ヒンジ８２の軸部８２０を中心として水平方向に回動し、下部走行体２の右側方における前輪２１Ｒと後輪２２Ｒとの間の位置から外側前方に向かって９０°回転した位置まで移動する。
【００２５】
図３に示すように、フィルタ収容ケース６は、上部が開口する本体６１と、本体６１の上部にヒンジを介して上下方向に開閉自在に取り付けられた蓋６２と、を有している。本体６１の内部には、ユーティリティ室３４に収容された燃料タンクに燃料を供給するための燃料供給装置を構成する機器の一部が収容されている。
【００２６】
燃料供給装置は、燃料タンクに供給する燃料が保存された外部タンクから燃料を吸い込んで燃料タンクへ向かって吐出する燃料ポンプと、燃料を浄化するためのフィルタ７１と、燃料ポンプとフィルタ７１とを連結するための連結用ホース７２と、外部タンクとフィルタ７１とを接続するための接続用ホース７３と、を有している。
【００２７】
本実施形態では、これらの機器のうち、フィルタ７１と、連結用ホース７２と、接続用ホース７３とが、フィルタ収容ケース６の本体６１の内部に収容されている。本実施形態では、連結用ホース７２及び接続用ホース７３はそれぞれ、一端がフィルタ７１に予め固定された状態で本体６１の内部に収容されている。燃料ポンプは、ユーティリティ室３４内に収容されている。
【００２８】
仮に、フィルタ７１を燃料ポンプと共にユーティリティ室３４に収容する場合には、フィルタ７１を配置するために必要な広さの空間を確保することが難しいため、フィルタ７１の大きさを小さくしなければならず、例えば粗悪燃料を用いるような場合には浄化が不十分となるといった問題が生じる可能性がある。
【００２９】
しかしながら、本実施形態では、フィルタ７１はフィルタ収容ケース６に収容されるため、フィルタ７１を配置するために必要な広さの空間を確保することが可能である。これにより、例えば粗悪燃料を用いる場合であっても、燃料の浄化に必要な大きさのフィルタ７１を油圧ショベル１に搭載することが可能となる。
【００３０】
燃料タンクに燃料を供給する作業を行う際には、まず、作業員が、ロック状態のラッチ８１を解除し、右側昇降装置５Ｒを下部走行体２の右側方の位置から外側前方に向かってヒンジ８２の軸部８２０を中心として９０°回転させる。
【００３１】
これにより、図６に示すように、右側昇降装置５Ｒに取り付けられたフィルタ収容ケース６は、下部走行体２の右側方であって車幅の範囲内に含まれる格納位置から、下部走行体２の車幅の範囲外となる作業位置へ移動する。ヒンジ８２は、格納位置と作業位置との間でフィルタ収容ケース６を移動させる移動機構の一態様である。
【００３２】
次に、作業員は、フィルタ収容ケース６の蓋６２を上方向へ開き、本体６１に収容された連結用ホース７２をユーティリティ室３４に収容された燃料ポンプに連結し、接続用ホース７３を外部タンクに接続する。そして、燃料ポンプを作動させることにより、外部タンクに保存された燃料が吸い上げられて燃料タンクへ吐出され、燃料が燃料タンクへ供給される。
【００３３】
このように、フィルタ収容ケース６を格納位置から作業位置に移動させることが可能であるため、車体の車幅方向の外側における広い場所において、作業員は地面に立った状態で燃料の供給作業を行うことができる。これにより、作業員は、安定した姿勢で燃料の供給作業を行うことができるため、作業がしやすくなる。また、フィルタ収容ケース６は蓋６２が上方向へ開くため、作業員はフィルタ収容ケース６の内部に上方からアクセスすることができ、地面に立った状態のまま作業を行うことが可能となり、作業性が向上する。
【００３４】
また、フィルタ７１は、定期的な交換作業が必要となるが、地面から高い位置の上部旋回体３の内部ではなく、地面から比較的近い位置のフィルタ収容ケース６内に収容されていることにより、上部旋回体３の内部に収容されている場合と比較して、フィルタの交換作業を容易に行うことができる。
【００３５】
また、ユーティリティ室３４は車幅方向におけるフィルタ収容ケース６が配置された側（上部旋回体３の右側）に設けられており、燃料供給装置を構成する機器がすべて、車体の右側方に集まって配置されている。これにより、燃料の供給作業の効率が向上する。
【００３６】
また、本実施形態では、フィルタ収容ケース６が右側昇降装置５Ｒに取り付けられており、フィルタ収容ケース６を格納位置から作業位置へ移動させる際に右側昇降装置５Ｒも一緒に移動するため、フィルタ収容ケース６を移動させる際に右側昇降装置５Ｒが邪魔になるといった問題が解消される。
【００３７】
さらに、本実施形態では、連結用ホース７２及び接続用ホース７３はそれぞれ、一端がフィルタ７１に予め固定されているため、燃料の供給作業を行う度に、連結用ホース７２とフィルタ７１との接続作業、及び接続用ホース７３とフィルタ７１との接続作業を行う必要がなく、作業効率が向上する。
【００３８】
以上、本発明の実施形態について説明した。なお、本発明は上記した実施形態に限定されるものではなく、様々な変形例が含まれる。例えば、上記した実施形態は本発明を分かりやすく説明するために詳細に説明したものであり、必ずしも説明した全ての構成を備えるものに限定されるものではない。また、本実施形態の構成の一部を他の実施形態の構成に置き換えることが可能であり、また、本実施形態の構成に他の実施形態の構成を加えることも可能である。またさらに、本実施形態の構成の一部について、他の構成の追加・削除・置換をすることが可能である。
【００３９】
例えば、上記実施形態では、上部旋回体３において、フロント作業機４を挟んで運転室３１が左側方に、ユーティリティ室３４が右側方に、それぞれ配置されていたが、これに限らず、運転室３１とユーティリティ室３４との車幅方向における位置関係は左右反対であってもよい。なお、本実施形態と異なり、ユーティリティ室３４が旋回フレーム３０の前部左側に配置されている場合には、フィルタ収容ケース６も下部走行体２の左側方に取り付けられていることが好ましい。
【００４０】
また、上記実施形態では、油圧ショベル１は、一対の前輪２１Ｌ，２１Ｒ及び後輪２２Ｌ，２２Ｒを有するホイール式の油圧ショベルであったが、必ずしもホイール式である必要はなく、クローラ式の油圧ショベルであってもよい。
【００４１】
また、上記実施形態では、フィルタ収容ケース６は、前端部６１Ａにおいてヒンジ８２を介してシャーシフレーム２０に取り付けられていたが、これに限らず、例えば後端部６１Ｂにおいてヒンジ８２を介してシャーシフレーム２０に取り付けられていてもよい。すなわち、フィルタ収容ケース６は、シャーシフレーム２０に対してヒンジ８２を介して開放可能に取り付けられていればよい。
【００４２】
また、上記実施形態では、移動機構の一態様としてヒンジ８２を用いていたが、これに限らず、例えば移動機構としてレール等を用いて、フィルタ収容ケース６を格納位置から作業位置へ引き出すように移動させてもよい。
【００４３】
また、上記実施形態では、フィルタ収容ケース６は、ラッチ８１によりシャーシフレーム２０に取り付けられていたが、これに限らず、例えばボルトによりシャーシフレーム２０に取り付けられていてもよい。
【００４４】
また、上記実施形態では、フィルタ収容ケース６が第１〜第３昇降ステップ５１〜５３に取り付けられていたため、フィルタ収容ケース６と共に昇降装置５Ｒも格納位置から作業位置へ移動したが、少なくともフィルタ収容ケース６だけが格納位置から作業位置へ移動すればよい。
【符号の説明】
【００４５】
１：油圧ショベル（建設機械）
２：下部走行体
３：上部旋回体
６：フィルタ収容ケース
５１〜５３：第１〜第３昇降ステップ（複数の昇降ステップ）
６１：本体
６２：蓋
７１：フィルタ
７２：連結用ホース
７３：接続用ホース
８２：ヒンジ（移動機構）
８２０：軸部
【図１】
2019203333.tif 000003
【図２】
2019203333.tif 000004
【図３】
2019203333.tif 000005
【図４】
2019203333.tif 000006
【図５】
2019203333.tif 000007
【図６】
2019203333.tif 000008